(57)【要約】【課題】シャワーパイプの壁面に対する支持位置を適切に調整することのできる水栓用パイプ支持具を提供すること。【解決手段】水栓本体とオーバーヘッド式のシャワーヘッドとを繋ぐ高さ方向に延びるシャワーパイプ１０を壁面Ｗに対して支持する水栓用パイプ支持具２０であり、壁面Ｗに対して左右方向に延びる長孔２１Ｂと長孔２１Ｂに差し込まれて締結される固定ネジ２１Ｃとによる差込み式の締結構造により左右方向に位置調整可能なように固定される壁側固定部２１と、シャワーパイプ１０の外周部に高さ方向に摺動可能なように嵌合されるパイプ側固定部２２と、パイプ側固定部２２と壁側固定部２１とを互いの間隔Ｌを調整可能なように連結する送りネジ部２３と、を有する。【選択図】図４
2020197055.tif 000002
【特許請求の範囲】
【請求項１】
水栓本体とシャワーヘッドとを繋ぐ高さ方向に延びるシャワーパイプを壁面に対して支持する水栓用パイプ支持具であって、
前記壁面に対して左右方向に延びる長孔と該長孔に差し込まれて締結される固定ネジとによる差込み式の締結構造により左右方向に位置調整可能なように固定される壁側固定部と、
前記シャワーパイプの外周部に高さ方向に摺動可能なように嵌合されるパイプ側固定部と、
該パイプ側固定部と前記壁側固定部とを間隔調整可能なように連結する送りネジ部と、を有する水栓用パイプ支持具。
【請求項２】
請求項１に記載の水栓用パイプ支持具であって、
前記パイプ側固定部が、前記シャワーパイプの非真円部に嵌合されて前記シャワーパイプを回り止めする水栓用パイプ支持具。
【請求項３】
請求項１又は請求項２に記載の水栓用パイプ支持具であって、
前記シャワーパイプが、前記パイプ側固定部から上方に延びる上側パイプと、前記パイプ側固定部から下方に延びる下側パイプと、が１本に接続された構成とされ、
前記パイプ側固定部が、前記上側パイプの下端部に形成された径寸法の小さい縮径部の外周部に下方から嵌め込まれて該縮径部との間の摺動摩擦抵抗力により脱落防止された状態に保持される係合部を有する水栓用パイプ支持具。
【請求項４】
請求項３に記載の水栓用パイプ支持具であって、
前記縮径部に嵌め込まれた前記係合部が、前記縮径部に沿って該縮径部よりも径の大きい前記上側パイプと前記下側パイプとの間で高さ方向に摺動可能とされる水栓用パイプ支持具。
【発明の詳細な説明】
【技術分野】
【０００１】
本発明は、水栓用パイプ支持具に関する。詳しくは、水栓本体とシャワーヘッドとを繋ぐ高さ方向に延びるシャワーパイプを壁面に対して支持する水栓用パイプ支持具に関する。
【背景技術】
【０００２】
従来、水栓本体とシャワーヘッドとを繋ぐシャワーパイプを、支持具により壁面に固定して支持する構成が知られている（特許文献１）。上記支持具は、ネジの螺合構造により、壁面に対する締結位置とシャワーヘッドに対する取付位置との間隔を調整できる構成とされる。
【先行技術文献】
【特許文献】
【０００３】
【特許文献１】特開２００５−２８２１０２号公報
【発明の概要】
【発明が解決しようとする課題】
【０００４】
上記従来技術では、支持具の壁面に対する締結位置とシャワーパイプに対する取付位置との間の左右方向のズレを吸収することはできない。そこで、本発明は、シャワーパイプの壁面に対する支持位置を適切に調整することのできる水栓用パイプ支持具を提供する。
【課題を解決するための手段】
【０００５】
上記課題を解決するために、本発明の水栓用パイプ支持具は次の手段をとる。
【０００６】
すなわち、本発明の水栓用パイプ支持具は、水栓本体とシャワーヘッドとを繋ぐ高さ方向に延びるシャワーパイプを壁面に対して支持する水栓用パイプ支持具である。この水栓用パイプ支持具は、壁面に対して左右方向に延びる長孔と長孔に差し込まれて締結される固定ネジとによる差込み式の締結構造により左右方向に位置調整可能なように固定される壁側固定部と、シャワーパイプの外周部に高さ方向に摺動可能なように嵌合されるパイプ側固定部と、パイプ側固定部と壁側固定部とを間隔調整可能なように連結する送りネジ部と、を有する。
【０００７】
上記構成によれば、水栓用パイプ支持具は、その壁面に対する壁側固定部の固定位置が左右方向に位置調整可能となる。また、水栓用パイプ支持具は、そのシャワーパイプに対するパイプ側固定部の嵌合位置が高さ方向に位置調整可能となる。また、水栓用パイプ支持具は、上記パイプ側固定部と壁側固定部との間隔が送りネジ部により調整可能となる。以上により、シャワーパイプの壁面に対する支持位置を適切に調整することができる。
【０００８】
また、本発明の水栓用パイプ支持具は、更に次のように構成されていてもよい。パイプ側固定部が、シャワーパイプの非真円部に嵌合されてシャワーパイプを回り止めする。
【０００９】
上記構成によれば、水栓用パイプ支持具によってシャワーパイプを回り止めすることにより、シャワーヘッドを左右に揺動させないように固定することができる。
【００１０】
また、本発明の水栓用パイプ支持具は、更に次のように構成されていてもよい。シャワーパイプが、パイプ側固定部から上方に延びる上側パイプと、パイプ側固定部から下方に延びる下側パイプと、が１本に接続された構成とされる。パイプ側固定部が、上側パイプの下端部に形成された径寸法の小さい縮径部の外周部に下方から嵌め込まれて縮径部との間の摺動摩擦抵抗力により脱落防止された状態に保持される係合部を有する。
【００１１】
上記構成によれば、上側パイプの縮径部にパイプ側固定部を下方から嵌め込んで脱落させないように保持した状態で、上側パイプの縮径部に下側パイプを嵌め込んで接続することができ、係る作業を簡便に行うことができる。
【００１２】
また、本発明の水栓用パイプ支持具は、更に次のように構成されていてもよい。縮径部に嵌め込まれた係合部が、縮径部に沿って縮径部よりも径の大きい上側パイプと下側パイプとの間で高さ方向に摺動可能とされる。
【００１３】
上記構成によれば、パイプ側固定部を、シャワーパイプに対して、一定範囲内で高さ方向に調整可能となるように嵌合させることができる。
【図面の簡単な説明】
【００１４】
【図１】第１の実施形態に係る水栓用パイプ支持具の概略構成を表した斜視図である。
【図２】水栓用パイプ支持具の拡大斜視図である。
【図３】図２の分解斜視図である。
【図４】図２のＩＶ−ＩＶ線断面図である。
【図５】壁側固定部の台座を壁面に固定した状態を表した斜視図である。
【図６】図５のＶＩ−ＶＩ線断面図である。
【図７】台座に頭部を取り付けた状態を表した斜視図である。
【図８】図７のＶＩＩＩ−ＶＩＩＩ線断面図である。
【図９】壁側固定部に送りネジ部及びパイプ側固定部を取り付けた状態を表した斜視図である。
【図１０】図９のＸ−Ｘ線断面図である。
【図１１】支持パイプに上側パイプと下側パイプとを組み付けた状態を表した斜視図である。
【図１２】図１１のＸＩＩ−ＸＩＩ線断面図である。
【図１３】パイプ側固定部の高さ調整範囲の上限位置を表した図４に対応する断面図である。
【図１４】同下限位置を表した図４に対応する断面図である。
【発明を実施するための形態】
【００１５】
以下に、本発明を実施するための形態について、図面を用いて説明する。
【００１６】
《第１の実施形態》
（パイプ支持具２０（水栓用パイプ支持具）の概略構成について）
始めに、本発明の第１の実施形態に係るパイプ支持具２０の構成について、図１〜図１４を用いて説明する。なお、以下の説明において、前後上下左右等の各方向を示す場合には、各図中に示されたそれぞれの方向を指すものとする。
【００１７】
図１に示すように、本実施形態に係るパイプ支持具２０は、浴室の壁面Ｗに取り付けられた混合水栓１から上方に延びるシャワーパイプ１０を壁面Ｗに固定するための支持具とされる。上記混合水栓１は、上記壁面Ｗの裏側から供給される湯と水とを内部で混合して吐出することのできる機能を備える。具体的には、混合水栓１は、上記供給される湯水の混合割合を内部で調節する温調機能と、混合した湯水の吐止水を切り替える切替機能と、吐出する湯水の量を調節する吐出量の調節機能と、を備える。
【００１８】
上記湯水の混合割合の調節は、水栓本体２の向かって左側の側部に取り付けられた略円筒型の温調ハンドル２Ａの操作によって行われる。また、吐止水の切り替え及び吐出量の調節は、水栓本体２の向かって右側の側部に取り付けられた略円筒型の切替ハンドル２Ｂの操作によって行われる。具体的には、使用者が温調ハンドル２Ａを所望の回転位置に合わせることで、水栓本体２の内部で混合される湯水の混合割合が上記の回転位置に応じた設定温度に調節される。
【００１９】
また、使用者が切替ハンドル２Ｂを所定の止水位置（図示位置）から上向き又は下向きに回すことで、その回転移動量に応じた量の湯水が水栓本体２の背面部に設定された第１吐出管２Ｃ又は上面部に設定された第２吐出管２Ｄから選択的に吐出される。本実施形態では、切替ハンドル２Ｂが下向きに回されることで、背面部の第１吐出管２Ｃから湯水が吐出され、上向きに回されることで、上面部の第２吐出管２Ｄから湯水が吐出されるようになっている。
【００２０】
上記背面部の第１吐出管２Ｃには、フレキシブルなパイプ構造を持つシャワーホース４を介して、手持ち式のシャワーヘッド５が接続されている。また、上面の第２吐出管２Ｄには、ステンレス製のインフレキシブルなパイプ構造を持つシャワーパイプ１０を介して、オーバーヘッド式のシャワーヘッド６が接続されている。ここで、オーバーヘッド式のシャワーヘッド６が、本発明の「シャワーヘッド」に相当する。前出の温調ハンドル２Ａ及び切替ハンドル２Ｂは、それぞれ、水栓本体２に対して、左右方向（幅方向）に延びる軸回りに回転操作を行える状態に取り付けられている。
【００２１】
上記水栓本体２は、その背面部の左右２箇所に形成された不図示の湯水の供給口が、それぞれ、クランク状に折れ曲がった偏心形状を持つ給湯管３Ａ及び給水管３Ｂを介して、壁面Ｗの左右２箇所に形成された不図示の湯水の接続口と流路接続されている。それにより、水栓本体２は、壁面Ｗから前方に張り出した位置で、その上面部が略水平状を成す姿勢に固定された状態とされる。
【００２２】
シャワーパイプ１０は、上側パイプ１１と下側パイプ１２とから構成される。上側パイプ１１は、略逆Ｌ字状に折り曲げられた丸パイプ形状の管から成る。下側パイプ１２は、高さ方向にストレート状に延びる丸パイプ形状の管から成る。上記上側パイプ１１は、その基端に下側パイプ１２の上端が流路接続され、先端にオーバーヘッド式のシャワーヘッド６が取り付けられる構成とされる。下側パイプ１２は、その下端に水栓本体２の上面部の第２吐出管２Ｄが流路接続される構成とされる。
【００２３】
上記シャワーパイプ１０は、図２に示すように、その上側パイプ１１と下側パイプ１２との接続部１１Ｂが、パイプ支持具２０により、壁面Ｗに対して前方に張り出した位置にて固定される。上記パイプ支持具２０は、図１で前述した混合水栓１の水栓本体２の施工位置、及び／又は同水栓本体２に接続される下側パイプ１２の施工位置にズレが生じたとしても、そのズレを前後上下左右の各方向において吸収することのできる調整機構を備えている。
【００２４】
（パイプ支持具２０の具体的な構成について）
以下、上記パイプ支持具２０の具体的な構成について、詳しく説明する。図３〜図４に示すように、パイプ支持具２０は、壁面Ｗに固定される壁側固定部２１と、シャワーパイプ１０に嵌合されるパイプ側固定部２２と、パイプ側固定部２２と壁側固定部２１とを間隔調整可能なように連結する送りネジ部２３と、壁側固定部２１に被せられるキャップ２４と、で構成される。
【００２５】
（壁側固定部２１の構成について）
図３〜図４に示すように、壁側固定部２１は、壁面Ｗに面当接した状態に固定される略円錐台形状の台座２１Ａと、同台座２１Ａの頭に取り付けられる頭部２１Ｄと、を備える。上記台座２１Ａは、図３に示すように、その上下２箇所に、左右方向に真っ直ぐ延びる孔形状の長孔２１Ｂを有する。上記台座２１Ａは、図５〜図６に示すように、上記各長孔２１Ｂ内に固定ネジ２１Ｃがそれぞれ前方から差し込まれて壁面Ｗに締結されることで、壁面Ｗに固定されている。
【００２６】
上記台座２１Ａは、図３に示すように、上記各長孔２１Ｂ内で各固定ネジ２１Ｃの通される位置を左右方向に動かせるようになっていることで、壁面Ｗに対する左右方向の固定位置を自由に調整できる構成とされる。そして、上記台座２１Ａを壁面Ｗに固定した後には、図７〜図８に示すように、同台座２１Ａの頭に頭部２１Ｄを被せ付けるようにセットして、一対の取付ネジ２１Ｅにより一体的に締結して固定する。
【００２７】
上記頭部２１Ｄには、その中心部に、前後方向に貫通するネジ孔２１Ｄ１が空けられている。上記ネジ孔２１Ｄ１には、その内周面に雌ネジ加工が施されており、図９〜図１０で後述する送りネジ部２３の調整ネジ２３Ｂが前方から螺合される構成とされる。
【００２８】
（パイプ側固定部２２の構成について）
図３〜図４に示すように、パイプ側固定部２２は、略円筒形状の支持パイプ２２Ａと、支持パイプ２２Ａの内周部に突出して形成された爪部２２Ｂと、支持パイプ２２Ａの上記爪部２２Ｂと対向する内周部に貫通して形成された雌ネジ加工された締結孔２２Ｃと、で構成される。上記締結孔２２Ｃの内周面には、雌ネジ加工が施されている。ここで、上記爪部２２Ｂが、本発明の「係合部」に相当する。
【００２９】
上記支持パイプ２２Ａは、図１１〜図１２に示すように、その円筒内に上側パイプ１１の基端が上方から差し込まれることにより、その円筒内に突出する爪部２２Ｂが、上記上側パイプ１１の基端から下方へと同心状に延びる六角ナット状の外周形状を成す六角面部１１Ａのいずれかの外周面（平坦面）上に前方から面当接した状態に当てられる構成とされる。
【００３０】
それにより、支持パイプ２２Ａは、図１２に示すように、その円筒内に上側パイプ１１を囲い込んだ状態に嵌合させると共に、その爪部２２Ｂの六角面部１１Ａの外周面（平坦面）上への面当接によって上側パイプ１１を回り止めした状態に係合させるようになっている。上記六角面部１１Ａは、上側パイプ１１よりも直径の小さい縮径部として構成され、爪部２２Ｂよりも高さ寸法が大きい構成とされる。
【００３１】
上記支持パイプ２２Ａは、上記爪部２２Ｂが六角面部１１Ａの外周面（平坦面）上に係合することによって、同外周面との間の摺動摩擦抵抗力の作用により上側パイプ１１から自重によって落下しないよう保持される構成とされる。ここで、上記六角面部１１Ａが、本発明の「縮径部」及び「非真円部」に相当する。
【００３２】
また、上記支持パイプ２２Ａは、その円筒内に下側パイプ１２の上端が下方から差し込まれることにより、その円筒内に下側パイプ１２を囲い込んだ状態に嵌合させるようになっている。上記下側パイプ１２の上端は、上側パイプ１１の六角面部１１Ａから下方へと同心状に延びる円筒状の接続部１１Ｂに下方から螺合されて、流路接続された状態に締結される。上記接続部１１Ｂは、六角面部１１Ａよりも更に直径の小さい縮径部を成す。
【００３３】
上記下側パイプ１２は、上側パイプ１１と略同一の直径を成し、六角面部１１Ａに下方から略突き当たる位置まで接続部１１Ｂに螺合されて締結される。同締結により、上側パイプ１１と下側パイプ１２とは、互いの六角面部１１Ａより径方向に張り出す接続側の端面同士が、六角面部１１Ａを間に挟んで高さ方向に対面した状態にセットされる。
【００３４】
それにより、支持パイプ２２Ａは、上記六角面部１１Ａの外周面（平坦面）上に面当接する爪部２２Ｂが、上記上側パイプ１１の接続側の端面と下側パイプ１２の接続側の端面とに当たって係止される間の範囲（調整範囲Ｔ）内において、上側パイプ１１及び下側パイプ１２に対する高さ方向の組み付け位置を自由に調整できる構成とされる（図４、図１３〜図１４参照）。詳しくは、上記支持パイプ２２Ａは、上記爪部２２Ｂが上側パイプ１１の六角面部１１Ａの外周面上に面当接する組み付けとされていることにより、上側パイプ１１を円筒内でガタ付かせない状態に保持できる構成とされる。
【００３５】
（送りネジ部２３の構成について）
図３に示すように、送りネジ部２３は、前後方向に丸棒状に延びる軸部２３Ａと、軸部２３Ａの後端に雄ネジ加工された調整ネジ２３Ｂと、軸部２３Ａの前端に形成された締結ネジ２３Ｃと、で構成される。上記送りネジ部２３は、図４に示すように、上記調整ネジ２３Ｂが壁側固定部２１のネジ孔２１Ｄ１に対して前後方向に位置調整を行えるように螺合され、締結ネジ２３Ｃがパイプ側固定部２２の締結孔２２Ｃに螺合締結されて一体的に固定される構成とされる。上記送りネジ部２３は、調整ネジ２３Ｂが締結ネジ２３Ｃよりも長い呼び長さを有する。
【００３６】
上記送りネジ部２３は、上記調整ネジ２３Ｂの壁側固定部２１のネジ孔２１Ｄ１に対する螺合位置を自由に調整できるようになっている。同調整により、送りネジ部２３は、パイプ側固定部２２と壁側固定部２１との間の前後方向の間隔Ｌを自由に調整できる構成とされる。上記送りネジ部２３は、図１０に示すように、その締結ネジ２３Ｃに支持パイプ２２Ａが嵌合固定された状態で、その調整ネジ２３Ｂが壁側固定部２１のネジ孔２１Ｄ１に螺合される。このような手順で組み付けることにより、作業者が調整ネジ２３Ｂの螺合位置を調整することによって、同調整ネジ２３Ｂを介して連結されたパイプ側固定部２２と壁側固定部２１との間の前後方向の間隔Ｌを手間なく調整することができる。
【００３７】
（キャップ２４の構成について）
図３に示すように、キャップ２４は、天板付きの円筒形状を成し、同天板の中央部が送りネジ部２３の軸部２３Ａに通されてセットされている。上記キャップ２４は、図９〜図１０に示すように、壁面Ｗに固定された壁側固定部２１のネジ孔２１Ｄ１に送りネジ部２３の調整ネジ２３Ｂを螺合する際には、これらの部位が作業者から良く見えるように、軸部２３Ａに沿って手前側に引かれた状態とされる。それにより、壁側固定部２１に送りネジ部２３を組み付ける作業を簡便に行うことができる。
【００３８】
上記キャップ２４は、壁側固定部２１に送りネジ部２３を組み付けた後、軸部２３Ａに沿って壁側固定部２１に被せられるように動かされることで、図２及び図４に示すようにその円筒内に壁側固定部２１をすっぽり覆った状態となる。上記キャップ２４は、上記壁側固定部２１に被せられることで、その内周面と台座２１Ａの外周面との嵌合に伴う摺動摩擦抵抗力の作用により、壁側固定部２１を覆った状態に保持される。
【００３９】
（まとめ）
以上をまとめると、第１の実施形態に係るパイプ支持具２０は次のような構成となっている。すなわち、水栓本体（２）とシャワーヘッド（６）とを繋ぐ高さ方向に延びるシャワーパイプ（１０）を壁面（Ｗ）に対して支持する水栓用パイプ支持具（２０）である。
【００４０】
この水栓用パイプ支持具（２０）は、壁面（Ｗ）に対して左右方向に延びる長孔（２１Ｂ）と長孔（２１Ｂ）に差し込まれて締結される固定ネジ（２１Ｃ）とによる差込み式の締結構造により左右方向に位置調整可能なように固定される壁側固定部（２１）と、シャワーパイプ（１０）の外周部に高さ方向に摺動可能なように嵌合されるパイプ側固定部（２２）と、パイプ側固定部（２２）と壁側固定部（２１）とを互いの間隔（Ｌ）を調整可能なように連結する送りネジ部（２３）と、を有する。
【００４１】
上記構成によれば、水栓用パイプ支持具（２０）は、その壁面（Ｗ）に対する壁側固定部（２１）の固定位置が左右方向に位置調整可能となる。また、水栓用パイプ支持具（２０）は、そのシャワーパイプ（１０）に対するパイプ側固定部（２２）の嵌合位置が高さ方向に位置調整可能となる。また、水栓用パイプ支持具（２０）は、上記パイプ側固定部（２２）と壁側固定部（２１）との間隔（Ｌ）が送りネジ部（２３）により調整可能となる。以上により、シャワーパイプ（１０）の壁面（Ｗ）に対する支持位置を適切に調整することができる。
【００４２】
また、パイプ側固定部（２２）が、シャワーパイプ（１０）の非真円部（１１Ａ）に嵌合されてシャワーパイプ（１０）を回り止めする。上記構成によれば、水栓用パイプ支持具（２０）によってシャワーパイプ（１０）を回り止めすることにより、シャワーヘッド（６）を左右に揺動させないように固定することができる。
【００４３】
また、シャワーパイプ（１０）が、パイプ側固定部（２２）から上方に延びる上側パイプ（１１）と、パイプ側固定部（２２）から下方に延びる下側パイプ（１２）と、が１本に接続された構成とされる。パイプ側固定部（２２）が、上側パイプ（１１）の下端部に形成された径寸法の小さい縮径部（１１Ａ）の外周部に下方から嵌め込まれて縮径部（１１Ａ）との間の摺動摩擦抵抗力により脱落防止された状態に保持される係合部（２２Ｂ）を有する。
【００４４】
上記構成によれば、上側パイプ（１１）の縮径部（１１Ａ）にパイプ側固定部（２２）を下方から嵌め込んで脱落させないように保持した状態で、上側パイプ（１１）の縮径部（１１Ａ）に下側パイプ（１２）を嵌め込んで接続することができ、係る作業を簡便に行うことができる。
【００４５】
また、縮径部（１１Ａ）に嵌め込まれた係合部（２２Ｂ）が、縮径部（１１Ａ）に沿って縮径部（１１Ａ）よりも径の大きい上側パイプ（１１）と下側パイプ（１２）との間で高さ方向に摺動可能とされる。上記構成によれば、パイプ側固定部（２２）を、シャワーパイプ（１０）に対して、一定範囲（調整範囲Ｔ）内で高さ方向に調整可能となるように嵌合させることができる。
【００４６】
《その他の実施形態について》
以上、本発明の実施形態を１つの実施形態を用いて説明したが、本発明は上記実施形態のほか、以下に示す様々な形態で実施することができるものである。
【００４７】
１．本発明の水栓用パイプ支持具は、シャワーパイプを水栓本体の背裏側の壁面ではなく、水栓本体の側方側の壁面に対して支持する構成であっても良い。水栓用パイプ支持具が取り付けられる壁面は、傾斜した壁面から成る構成であっても良い。そのような構成であっても、水栓用パイプ支持具は、壁側固定部と、パイプ側固定部と、送りネジ部と、を有する構成により、シャワーパイプの壁面に対する支持位置を適切に調整することができる。
【００４８】
また、水栓用パイプ支持具は、単水栓の水栓本体とシャワーヘッドとを繋ぐ高さ方向に延びるシャワーパイプを壁面に対して支持する構成であっても良い。上記シャワーパイプは、フレキシブルなパイプ構造を持つ構成であっても構わない。
【００４９】
２．パイプ側固定部は、シャワーパイプを回転フリーなように嵌合させる構成であっても良い。また、パイプ側固定部は、シャワーパイプの上側パイプと下側パイプとの接続部の他、シャワーパイプの寸胴状に延びる部分の外周部に高さ方向に摺動可能なように嵌合される構成であっても良い。
【００５０】
３．送りネジ部は、パイプ側固定部に対する螺合位置の調整により、パイプ側固定部と壁側固定部との間隔を調整する構成であっても良い。また、送りネジ部は、壁側固定部及びパイプ側固定部に対するそれぞれの螺合位置を調整できる構成とされて、パイプ側固定部と壁側固定部との間隔を調整する構成であっても良い。
【００５１】
その場合、送りネジ部は、壁側固定部に対する螺合とパイプ側固定部に対する螺合とが逆ネジの関係となるターンバックル構造の適用により、パイプ側固定部と壁側固定部との間隔を簡便かつ効率的に調整できる構成としても良い。
【００５２】
４．縮径部及び非真円部は、六角面部以外の多角形状の面部や異形状の面部から成るものであっても良い。
【符号の説明】
【００５３】
１      混合水栓
２      水栓本体
２Ａ    温調ハンドル
２Ｂ    切替ハンドル
２Ｃ    第１吐出管
２Ｄ    第２吐出管
３Ａ    給湯管
３Ｂ    給水管
４      シャワーホース
５      手持ち式のシャワーヘッド
６      オーバーヘッド式のシャワーヘッド（シャワーヘッド）
１０    シャワーパイプ
１１    上側パイプ
１１Ａ  六角面部（縮径部、非真円部）
１１Ｂ  接続部
１２    下側パイプ
２０    パイプ支持具（水栓用パイプ支持具）
２１    壁側固定部
２１Ａ  台座
２１Ｂ  長孔
２１Ｃ  固定ネジ
２１Ｄ  頭部
２１Ｄ１  ネジ孔
２１Ｅ  取付ネジ
２２    パイプ側固定部
２２Ａ  支持パイプ
２２Ｂ  爪部（係合部）
２２Ｃ  締結孔
２３    送りネジ部
２３Ａ  軸部
２３Ｂ  調整ネジ
２３Ｃ  締結ネジ
２４    キャップ
Ｗ      壁面
Ｌ      間隔
Ｔ      調整範囲
【図１】
2020197055.tif 000003
【図２】
2020197055.tif 000004
【図３】
2020197055.tif 000005
【図４】
2020197055.tif 000006
【図５】
2020197055.tif 000007
【図６】
2020197055.tif 000008
【図７】
2020197055.tif 000009
【図８】
2020197055.tif 000010
【図９】
2020197055.tif 000011
【図１０】
2020197055.tif 000012
【図１１】
2020197055.tif 000013
【図１２】
2020197055.tif 000014
【図１３】
2020197055.tif 000015
【図１４】
2020197055.tif 000016